(57)【要約】【課題】冷陰極管による蛍光灯の照明効率を上げること。【解決手段】直管２内に、冷陰極管３と、この冷陰極管３を点灯させるためのインバータ回路４とを配置した冷陰極管蛍光灯である。冷陰極管３は対をなして対向し、かつ直管２の長手方向に沿って配置され、冷陰極管３の背面側に反射板５が配置され、反射板５には冷陰極管３側に向けて突出する突出部５ａが設けられ、突出部の先端５ａ−１が、対向する冷陰極管３どうしの間に位置し、対向する冷陰極管３に面する突出部の両側面５ａ−２が反射面とされている。【選択図】図８
0003165440.tif 000002
【実用新案登録請求の範囲】
【請求項１】
直管内に、冷陰極管と、この冷陰極管を点灯させるためのインバータ回路とを配置した冷陰極管蛍光灯であって、
冷陰極管は対をなして対向し、かつ直管の長手方向に沿って配置され、
冷陰極管の背面側に反射板が配置され、
反射板には冷陰極管側に向けて突出する突出部が設けられ、
前記突出部の先端が、対向する冷陰極管どうしの間に位置し、
前記対向する冷陰極管に面する前記突出部の両側面が反射面とされている冷陰極管蛍光灯。
【請求項２】
前記突出部は、その両側面間の間隔が冷陰極管側に向けて順次狭くなるように形成されている請求項１に記載の冷陰極管蛍光灯。
【考案の詳細な説明】
【技術分野】
【０００１】
本考案は、冷陰極管蛍光灯（ＣＣＦＬ：Cold Cathode Fluorescent Lamp）に関する。
【背景技術】
【０００２】
一般の蛍光管は熱陰極管と呼ばれるもので、電極を加熱して電子放出を行う。これに対して冷陰極管は陰極を加熱しないで電子放出を行う。この冷陰極管は、従来、液晶バックライト用の光源として多用されているが、特許文献１に見られるように冷陰極管を室内灯等の一般の照明器具に適用しようとする試みもある。
【０００３】
しかし、冷陰極管は陰極を加熱しないことから熱陰極管に比べて陰極降下電圧が大きく、その陰極降下電圧は蛍光管の発光に寄与しないので、そのまま熱的な損失となる。したがって、冷陰極管は熱陰極管に比べて発光効率が悪いという問題がある。室内灯等の一般の蛍光灯は熱陰極管によるものが主流であるから、これを冷陰極管で代替するには、冷陰極管による蛍光灯の照明効率を上げる必要がある。
【先行技術文献】
【特許文献】
【０００４】
【特許文献１】国際公開第０１／０７８１０７号
【考案の概要】
【考案が解決しようとする課題】
【０００５】
本考案が解決しようとする課題は、冷陰極管による蛍光灯の照明効率を上げることにある。
【課題を解決するための手段】
【０００６】
本考案に係る冷陰極管蛍光灯は、直管内に、冷陰極管と、この冷陰極管を点灯させるためのインバータ回路とを配置した冷陰極管蛍光灯であって、冷陰極管は対をなして対向し、かつ直管の長手方向に沿って配置され、冷陰極管の背面側に反射板が配置され、反射板には冷陰極管側に向けて突出する突出部が設けられ、前記突出部の先端が、対向する冷陰極管どうしの間に位置し、前記対向する冷陰極管に面する前記突出部の両側面が反射面とされていることを特徴とするものである。
【考案の効果】
【０００７】
本考案によれば、冷陰極管の背面側に配置した反射板により冷陰極管から背面側に向かう光が正面側に向けて反射されるので、この光も照明として有効利用できる。
【０００８】
さらに本考案では、反射板の突出部が対向する冷陰極管どうしの間に位置し、前記対向する冷陰極管に面する前記突出部の両側面が反射面とされているので、対向する冷陰極管どうしの間の光も照明として有効利用できる。すなわち、対向する冷陰極管どうしの間では、何もなければ光が干渉して打ち消しあうため冷陰極管からの光が照明として有効利用されないが、本考案では、対向する冷陰極管どうしの間に両側面を反射面とした突出部が位置するので、対向する冷陰極管どうしの間の光も照明として有効利用できる。
【０００９】
以上のとおり、本考案によれば、冷陰極管からの光の実質的にすべてを照明として有効利用できるので、冷陰極管蛍光灯の照明効率を上げることができる。
【図面の簡単な説明】
【００１０】
【図１】本考案に係る冷陰極管蛍光灯の一例を示す正面図である。
【図２】図１に示す冷陰極管蛍光灯の平面図である。
【図３】図１のＡ−Ａ部拡大図である。
【図４】図１のＢ−Ｂ部拡大図である。
【図５】図１のＣ−Ｃ部拡大図である。
【図６】図２のＤ−Ｄ部拡大図である。
【図７】図２のＥ−Ｅ部拡大図である。
【図８】本考案に係る冷陰極管蛍光灯における光の反射パターンを示す。
【考案を実施するための形態】
【００１１】
以下、図面に示す実施例に基づき本考案の実施の形態を説明する。
【００１２】
図１は本考案に係る冷陰極管蛍光灯の一例を示す正面図、図２はその平面図である。また、図３〜５はそれぞれ図１のＡ−Ａ部拡大図、Ｂ−Ｂ部拡大図、Ｃ−Ｃ部拡大図、図６及び７はそれぞれ図２のＤ−Ｄ部拡大図、Ｅ−Ｅ部拡大図である。
【００１３】
電極（ソケット）１，１間に挟まれたガラス製の直管２内に、２本の冷陰極管３と、インバータ回路４とが配置されている。各冷陰極管３は、Ｕ字状に折り曲げられることで対をなして対向し、かつ直管２の長手方向に沿って配置されている。インバータ回路４は、冷陰極管３を点灯させるためのものであり、その構成は周知であるので、詳細な説明は省略する
【００１４】
冷陰極管の背面側に反射板５が配置されており、この反射板５には冷陰極管３側（正面側）に向けてＶ字状に突出する突出部５ａが設けられている。反射板５の突出部５ａの先端５ａ−１は、Ｕ字状に折り曲げられたことによって対向する冷陰極管３どうしの間に位置する。すなわち、突出部５ａの先端５ａ−１は、図４において、対向する冷陰極管３の下端位置より高く、上端位置より低い位置にある。
【００１５】
対向する冷陰極管３に面する突出部５ａの両側面５ａ−２は反射面とされている。また、突出部５ａに連続する反射板５の定板部５ｂの上面も反射面とされている。各反射面は鏡面加工されている。
【００１６】
以上の構成において、冷陰極管３から背面側に向かう光は、図８に示すように反射板５の底板部５ｂ又は突出部５ａの両側面５ａ−２の反射面により正面側に向けて反射される。また、対向する冷陰極管３どうしの間の光は、突出部５ａの両側面５ａ−２の反射面で反射され、相互に干渉して打ち消しあうことなく、照明として有効利用される。
【００１７】
突出部５ａの先端５ａ−１は、上述のとおり、対向する冷陰極管３の下端位置より高く、上端位置より低い位置にある。突出部５ａの先端５ａ−１が対向する冷陰極管３の下端位置より低い位置にあると、対向する冷陰極管３どうしの間の光を反射することができず、その光は相互に干渉して打ち消しあうので照明効率が低下する。また、突出部５ａの先端５ａ−１が対向する冷陰極管３の上端位置より高い位置にあると、突出部５ａが高すぎてかえって光の反射の邪魔となり照明効率が低下する。
【００１８】
本実施例では図面に示すように、反射板５の反射面を平面の組み合わせによって構成したので、反射される光の指向性が向上し、より遠方をシャープに照明できる。一方、反射板５の反射面の少なくとも一部を曲面で構成することもできる。この場合、曲面により光が散乱されるので、柔らかなイメージの照明とすることができる。
【００１９】
なお、以上の実施例では、冷陰極管３をＵ字状に折り曲げることで対をなして対向するように配置したが、２本の冷陰極管を直管の長手方向に沿って平行に配置することで対をなして対向するように配置してもよい。
【符号の説明】
【００２０】
１  電極（ソケット）
２  直管
３  冷陰極管
４  インバータ回路
５  反射板
５ａ  突出部
５ａ―１  突出部の先端
５ａ−２  突出部の側面
５ｂ  底板部
【図１】
0003165440.tif 000003
【図２】
0003165440.tif 000004
【図３】
0003165440.tif 000005
【図４】
0003165440.tif 000006
【図５】
0003165440.tif 000007
【図６】
0003165440.tif 000008
【図７】
0003165440.tif 000009
【図８】
0003165440.tif 000010